(57)【要約】【課題】被検眼のマイボーム腺を適正に撮影することが可能な仕組みを提供する。【解決手段】撮影モード選択手段において被検眼のマイボーム腺５１を撮影するマイボーム腺撮影モードが選択された場合に、被検眼の上瞼側に位置する上瞼マイボーム腺及び被検眼の下瞼側に位置する下瞼マイボーム腺のうちのいずれか１つのマイボーム腺を選択するマイボーム腺選択手段と、マイボーム腺選択手段で選択されたマイボーム腺５１に応じて、被検眼のマイボーム腺を撮影する際の測光領域５２または測光領域５３を設定する設定手段とを備える。【選択図】図３
2017012663.tif 000002
【特許請求の範囲】
【請求項１】
被検眼の撮影を行う眼科撮影装置であって、
複数の撮影モードの中から１つの撮影モードを選択する撮影モード選択手段と、
前記撮影モード選択手段において前記被検眼のマイボーム腺を撮影するマイボーム腺撮影モードが選択された場合に、前記被検眼の上瞼側に位置する上瞼マイボーム腺および前記被検眼の下瞼側に位置する下瞼マイボーム腺のうちのいずれか１つのマイボーム腺を選択するマイボーム腺選択手段と、
前記マイボーム腺選択手段で選択されたマイボーム腺に応じて、前記被検眼のマイボーム腺を撮影する際の測光領域を設定する設定手段と
を有することを特徴とする眼科撮影装置。
【請求項２】
前記設定手段は、前記マイボーム腺選択手段で前記上瞼マイボーム腺が選択された際に設定する前記測光領域を、前記マイボーム腺選択手段で前記下瞼マイボーム腺が選択された際に設定する前記測光領域よりも広い領域として設定することを特徴とする請求項１に記載の眼科撮影装置。
【請求項３】
前記設定手段は、前記マイボーム腺選択手段で前記下瞼マイボーム腺が選択された際に設定する前記測光領域を、前記マイボーム腺選択手段で前記上瞼マイボーム腺が選択された際に設定する前記測光領域よりも下側の位置に設定することを特徴とする請求項１または２に記載の眼科撮影装置。
【請求項４】
前記撮影モード選択手段において前記被検眼のマイボーム腺を撮影するマイボーム腺撮影モードが選択された場合に、前記被検眼に対して赤外光を出力する赤外光光源と、
前記設定手段で設定された前記測光領域から前記赤外光に係る測光値を算出する測光値算出手段と、
前記測光値算出手段で算出された前記測光値に基づいて、前記赤外光光源からの前記赤外光の出力を制御する出力制御手段と
を更に有することを特徴とする請求項１乃至３のいずれか１項に記載の眼科撮影装置。
【請求項５】
前記設定手段で設定された前記測光領域を、前記被検眼の観察画像上に表示する制御を行う表示制御手段を更に有することを特徴とする請求項１乃至４のいずれか１項に記載の眼科撮影装置。
【請求項６】
前記複数の撮影モードには、前記被検眼の外眼部を可視光で撮影する可視光外眼部撮影モードが含まれており、
前記撮影モード選択手段において前記可視光外眼部撮影モードが選択された場合に、前記マイボーム腺選択手段によるマイボーム腺の選択および前記設定手段による前記測光領域の設定を行わないように当該眼科撮影装置の動作を制御する動作制御手段を更に有することを特徴とする請求項１乃至５のいずれか１項に記載の眼科撮影装置。
【請求項７】
被検眼の撮影を行う眼科撮影装置の制御方法であって、
複数の撮影モードの中から１つの撮影モードを選択する撮影モード選択ステップと、
前記撮影モード選択ステップにおいて前記被検眼のマイボーム腺を撮影するマイボーム腺撮影モードが選択された場合に、前記被検眼の上瞼側に位置する上瞼マイボーム腺および前記被検眼の下瞼側に位置する下瞼マイボーム腺のうちのいずれか１つのマイボーム腺を選択するマイボーム腺選択ステップと、
前記マイボーム腺選択ステップで選択されたマイボーム腺に応じて、前記被検眼のマイボーム腺を撮影する際の測光領域を設定する設定ステップと
を有することを特徴とする眼科撮影装置の制御方法。
【請求項８】
被検眼の撮影を行う眼科撮影装置の制御方法をコンピュータに実行させるためのプログラムであって、
複数の撮影モードの中から１つの撮影モードを選択する撮影モード選択ステップと、
前記撮影モード選択ステップにおいて前記被検眼のマイボーム腺を撮影するマイボーム腺撮影モードが選択された場合に、前記被検眼の上瞼側に位置する上瞼マイボーム腺および前記被検眼の下瞼側に位置する下瞼マイボーム腺のうちのいずれか１つのマイボーム腺を選択するマイボーム腺選択ステップと、
前記マイボーム腺選択ステップで選択されたマイボーム腺に応じて、前記被検眼のマイボーム腺を撮影する際の測光領域を設定する設定ステップと
をコンピュータに実行させるためのプログラム。
【請求項９】
被検眼の撮影を行う眼科撮影装置であって、
撮影手段と、
前記被検眼の上瞼側に位置する上瞼マイボーム腺を前記撮影手段により撮影する場合と、前記被検眼の下瞼側に位置する下瞼マイボーム腺を前記撮影手段により撮影する場合とで異なる測光領域を設定する設定手段と
を有することを特徴とする眼科撮影装置。
【発明の詳細な説明】
【技術分野】
【０００１】
本発明は、被検眼の撮影を行う眼科撮影装置及びその制御方法、並びに、当該制御方法をコンピュータに実行させるためのプログラムに関するものである。
【背景技術】
【０００２】
従来の眼科撮影装置では、被検眼の撮影に際してピントや位置合わせを行う観察時と画像を撮影する撮影時に画像の輝度値が最適になるように、光源の出力を調整して最適光量を実現する必要がある。例えば、眼底観察と眼底撮影においては、最適光量を実現するために、観察時の測光領域を参照して観察時と撮影時における光源の出力を自動で制御し、最適光量に調整する自動露光機能（ＡＥ）が知られている。
【０００３】
また、従来の技術として、特許文献１には、眼底カメラにおける眼底撮影において装置の状態や被検眼の瞳孔径により、ＡＥのための測光領域を変更する技術が開示されている。
【先行技術文献】
【特許文献】
【０００４】
【特許文献１】特開２０１２−４０１９７号公報
【発明の概要】
【発明が解決しようとする課題】
【０００５】
一般に、眼瞼の裏側にある被検眼のマイボーム腺は、油脂成分を分泌して眼球表面の乾燥を防ぐ働きを有する。このマイボーム腺の数が少ないと、いわゆるドライアイになりやすい傾向が認められる。このマイボーム腺は、眼瞼裏面が外部を向くように瞼をめくった状態で、赤外光を用いて前眼部撮影することで可視化することが可能であるが、マイボーム腺はコントラストが低いため、適正露出での撮影がより必要となる。また、このマイボーム腺の撮影に際して、マイボーム腺のある眼瞼裏部と前眼部の皮膚部分とは反射率が異なるため、適正露出を実現するためには、眼瞼裏部のマイボーム腺の部分を測光する必要がある。
【０００６】
また、このマイボーム腺は、上瞼側と下瞼側のそれぞれに存在する。そして、この上瞼側に位置する上瞼マイボーム腺と下瞼側に位置する上瞼マイボーム腺とは、撮影のために瞼をめくった際にその存在する領域の大きさが異なっており、また、撮影画面上での位置も変わってくる。
【０００７】
この点、特許文献１等の従来の技術では、このようなマイボーム腺の撮影制約については考慮されていなかった。このため、従来の技術では、被検眼のマイボーム腺を適正に撮影することが困難であるという問題があった。
【０００８】
本発明は、このような問題点に鑑みてなされたものであり、被検眼のマイボーム腺を適正に撮影することが可能な仕組みを提供することを目的とする。
【課題を解決するための手段】
【０００９】
本発明の眼科撮影装置は、被検眼の撮影を行う眼科撮影装置であって、複数の撮影モードの中から１つの撮影モードを選択する撮影モード選択手段と、前記撮影モード選択手段において前記被検眼のマイボーム腺を撮影するマイボーム腺撮影モードが選択された場合に、前記被検眼の上瞼側に位置する上瞼マイボーム腺および前記被検眼の下瞼側に位置する下瞼マイボーム腺のうちのいずれか１つのマイボーム腺を選択するマイボーム腺選択手段と、前記マイボーム腺選択手段で選択されたマイボーム腺に応じて、前記被検眼のマイボーム腺を撮影する際の測光領域を設定する設定手段とを有する。
本発明の眼科撮影装置における他の態様は、被検眼の撮影を行う眼科撮影装置であって、撮影手段と、前記被検眼の上瞼側に位置する上瞼マイボーム腺を前記撮影手段により撮影する場合と、前記被検眼の下瞼側に位置する下瞼マイボーム腺を前記撮影手段により撮影する場合とで異なる測光領域を設定する設定手段とを有する。
また、本発明は、上述した眼科撮影装置の制御方法、及び、当該制御方法をコンピュータに実行させるためのプログラムを含む。
【発明の効果】
【００１０】
本発明によれば、被検眼のマイボーム腺を適正に撮影することが可能となる。
【図面の簡単な説明】
【００１１】
【図１】本発明の第１の実施形態に係る眼科撮影装置の概略構成の一例を示す図である。
【図２】本発明の第１の実施形態を示し、赤外光を用いて被検眼のマイボーム腺を撮影することにより得られた撮影画像の一例を示す図である。
【図３】本発明の第１の実施形態を示し、上瞼マイボーム腺の撮影時と下瞼マイボーム腺の撮影時にそれぞれ設定される測光領域の一例を示す図である。
【図４】本発明の第１の実施形態に係る眼科撮影装置の制御方法における処理手順の一例を示すフローチャートである。
【図５】本発明の第２の実施形態に係る眼科撮影装置の制御方法における処理手順の一例を示すフローチャートである。
【発明を実施するための形態】
【００１２】
以下に、図面を参照しながら、本発明を実施するための形態（実施形態）について説明する。
【００１３】
（第１の実施形態）
まず、本発明の第１の実施形態について説明する。
【００１４】
図１は、本発明の第１の実施形態に係る眼科撮影装置１００の概略構成の一例を示す図である。この眼科撮影装置１００は、被検眼Ｅの撮影を行う装置である。
【００１５】
以下、図１に示す眼科撮影装置１００の概略構成について説明を行う。
被検眼Ｅに対向して対物レンズ１が配置されており、その光軸Ｌ１上には、撮影絞り２、フォーカスレンズ３、結像レンズ４、及び、撮像素子５が設けられている。ここで、撮像素子５は、可視光と赤外光に感度を有するセンサが設けられた撮像手段である。また、対物レンズ１から結像レンズ４により、被検眼Ｅの観察及び撮影のための撮影光学系が構成されている。
【００１６】
また、撮影絞り２の付近には、穴あきミラー６が斜設されている。この穴あきミラー６の反射方向の光軸Ｌ２上には、中心に遮光点を有する角膜バッフル７、レンズ８、フォーカス指標ユニット９、レンズ１０、遮光点を有する遮光部材としての水晶体バッフル１１が設けられている。さらに、光軸Ｌ２上には、リング状のスリット開口を有するリングスリット１２、赤外光を透過し可視光を反射する特性を有するダイクロイックミラー１３が設けられている。ここで、フォーカス指標ユニット９は、光軸Ｌ２に沿って移動可能であり、かつ、光軸Ｌ２上から挿脱可能となっている。また、対物レンズ１とレンズ８とレンズ１０により、角膜バッフル７、水晶体バッフル１１、リングスリット１２は、それぞれ、作動距離ＷＤ０の位置において被検眼Ｅの角膜、水晶体後面、瞳孔Ｅｐと光学的に略共役な位置に配置されている。
【００１７】
ダイクロイックミラー１３の反射方向の光軸Ｌ３上には、コンデンサレンズ１４、及び、可視光のパルス光を発する白色ＬＥＤ素子が複数個配置された撮影用光源である白色ＬＥＤ光源（可視光光源）１５が設けられている。
【００１８】
また、ダイクロイックミラー１３の透過方向の光軸Ｌ４上には、コンデンサレンズ１６、及び、赤外ＬＥＤ光源（赤外光光源）１７が設けられている。この赤外ＬＥＤ光源１７は、赤外光の定常光を発する赤外ＬＥＤ素子が複数個配置されており、観察用光源、及び、赤外光撮影の場合には撮影用光源にもなる。
【００１９】
これらの対物レンズ１からダイクロイックミラー１３、及び、コンデンサレンズ１４、コンデンサレンズ１６は、被検眼Ｅの眼底部を撮影する場合には、被検眼Ｅの眼底部を照明する照明光学系を構成する。この照明光学系を介して、白色ＬＥＤ光源１５、赤外ＬＥＤ光源１７の光が、被検眼Ｅの眼底部を照明する。
【００２０】
また、作動距離ＷＤ１に位置合わせを行うことで、この照明光学系を介して、白色ＬＥＤ光源１５、赤外ＬＥＤ光源１７の光が、被検眼の外眼部（前眼部）Ｅｆを照明する。
【００２１】
以上の光学系は、本実施形態では、１つの筐体に内蔵されており、カメラ光学部を構成している。そして、このカメラ光学部は、不図示の摺動台に載置されており、被検眼Ｅに対して、上下左右、更には、光軸Ｌ１方向前後に移動可能となっており、被検眼Ｅとの位置合せができるようになっている。
【００２２】
また、撮像素子５からの出力信号は、Ａ／Ｄ変換部１８においてデジタル信号化されて、メモリ１９に保存されるとともに、測光値算出部２０に出力される。Ａ／Ｄ変換部１８、メモリ１９及び測光値算出部２０は、処理・制御部２１に接続されている。
【００２３】
処理・制御部２１は、眼科撮影装置１００の動作を統括的に制御することや、眼科撮影装置１００における各種の処理を行うものであり、例えば、ＣＰＵ等で構成されている。この処理・制御部２１には、画像メモリ２２が接続されている。この画像メモリ２２には、撮像素子５で撮像された静止画像データがデジタル画像データとして保存される。
【００２４】
次に、観察用光源及び撮影モードによっては撮影用光源となる赤外ＬＥＤ光源（赤外光光源）１７と、撮影用光源である白色ＬＥＤ光源（可視光光源）１５の自動光量制御の方法について説明する。
【００２５】
まず、フォーカス指標ユニット９の光軸Ｌ２上への挿脱状態における自動光量制御について説明する。赤外ＬＥＤ光源１７から出力した赤外光は、上述したように被検眼Ｅの外眼部Ｅｆを照明し、その反射散乱光は撮像素子５で受光される。そして、撮像素子５では、画像信号を生成し、この画像信号は、Ａ／Ｄ変換部１８でデジタル信号化される。
【００２６】
そして、測光値算出部２０は、処理・制御部２１で設定された測光領域から撮影光（ここでは、赤外光）に係る測光値を算出する。処理・制御部２１は、測光値算出部２０で算出された測光値を受け取り、当該測光値と基準値とを比較することにより、観察画像が適正な明るさとなるように、制御値を算出する。そして、処理・制御部２１は、当該制御値を赤外光光源制御部２６に送信する。赤外光光源制御部２６は、処理・制御部２１から制御値を受け取り、当該制御値に基づいて、赤外ＬＥＤ光源１７からの赤外光の出力を制御する。この赤外光の出力を制御する赤外光光源制御部２６（或いは処理・制御部２１）は、出力制御手段を構成する。
【００２７】
また、赤外光で撮影を行う撮影モードの場合には、撮影スイッチ３０が押されると、処理・制御部２１は、測光値算出部２０で算出された測光値と赤外光光源制御部２６の制御値から、赤外ＬＥＤ光源１７の赤外光を用いて撮影される撮影画像が適正な明るさとなるように、制御値を算出する。そして、処理・制御部２１は、フォーカス指標駆動部２７を制御して、フォーカス指標ユニット９を光軸Ｌ２から退避させ、赤外光光源制御部２６を制御し、赤外ＬＥＤ光源１７を発光させる。ここで、撮影画像の露光量の制御は、例えば処理・制御部２１において、赤外ＬＥＤ光源１７の光量及び撮像素子５の蓄積時間によって行う。
【００２８】
可視光で撮影を行う撮影モードの場合も、赤外光で撮影を行う撮影モードの場合と同様である。具体的に、可視光で撮影を行う撮影モードの場合、撮影スイッチ３０が押されると、処理・制御部２１は、測光値算出部２０で算出された測光値と赤外光光源制御部２６の制御値から、白色ＬＥＤ光源１５の白色光を用いて撮影される撮影画像が適正な明るさとなるように、制御値を算出する。そして、処理・制御部２１は、フォーカス指標駆動部２７を制御して、フォーカス指標ユニット９を光軸Ｌ２から退避させ、可視光光源制御部２５を制御し、白色ＬＥＤ光源１５を発光させる。ここで、撮影画像の露光量の制御は、例えば処理・制御部２１において、白色ＬＥＤ光源１５の光量及び撮像素子５の蓄積時間によって行う。
【００２９】
なお、眼底撮影モードにおける、観察用光源である赤外ＬＥＤ光源１７と、撮影用光源としての赤外ＬＥＤ光源１７の自動光量制御の方法についても、上述した場合と同様である。
【００３０】
また、処理・制御部２１には、撮像素子５で撮像された赤外光による観察画像や、可視光等による撮影画像等を表示するためのモニタ２３、及び、撮像手段制御部２４が接続されている。
【００３１】
また、白色ＬＥＤ光源１５には可視光光源制御部２５が接続されており、赤外ＬＥＤ光源１７には赤外光光源制御部２６が接続されている。これらの可視光光源制御部２５及び赤外光光源制御部２６は、ともに、処理・制御部２１と制御用の信号を送受信し、それぞれ、白色ＬＥＤ光源１５及び赤外ＬＥＤ光源１７に流れる電流等を制御することで、それぞれの光源の発光量を制御する。
【００３２】
フォーカス指標ユニット９には、当該フォーカス指標ユニット９を、光軸Ｌ２方向に移動し、また、光軸Ｌ２から挿脱できるように駆動させるフォーカス指標駆動部２７が、接続されている。また、フォーカスレンズ３には、当該フォーカスレンズ３を、光軸Ｌ１に沿って移動させるフォーカスレンズ駆動部２８が接続されている。これらのフォーカス指標駆動部２７及びフォーカスレンズ駆動部２８は、ともに、処理・制御部２１と制御用の信号を送受信する。
【００３３】
さらに、処理・制御部２１には、撮影モード選択部２９、撮影スイッチ３０、及び、マイボーム腺選択部３１が接続されている。撮影モード選択部２９は、眼科撮影装置１００に設定されている複数の撮影モードの中から１つの撮影モードを選択する。マイボーム腺選択部３１は、撮影モード選択部２９において被検眼Ｅのマイボーム腺を撮影するマイボーム腺撮影モードが選択された場合に、被検眼Ｅの上瞼側に位置する上瞼マイボーム腺及び被検眼Ｅの下瞼側に位置する下瞼マイボーム腺のうちのいずれか１つのマイボーム腺を選択する。
【００３４】
本実施形態においては、眼科撮影装置１００に設定されている複数の撮影モードには、少なくとも、赤外光を用いた上述のマイボーム腺撮影モードと、可視光を用いて眼底部を撮影する眼底撮影モード及び外眼部を撮影する可視光外眼部撮影モードが含まれている。ここで、マイボーム腺撮影モードは、眼瞼裏面のマイボーム腺を赤外光で観察及び撮影する撮影モードである。
【００３５】
図２は、本発明の第１の実施形態を示し、赤外光を用いて被検眼Ｅのマイボーム腺を撮影することにより得られた撮影画像の一例を示す図である。
図２において、図２（ａ）は、被検眼Ｅの上瞼側（上瞼裏）に位置する上瞼マイボーム腺の撮影画像を示し、図２（ｂ）は、被検眼Ｅの下瞼側（下瞼裏）に位置する下瞼マイボーム腺の撮影画像を示す。図２（ａ）及び図２（ｂ）ともに、それぞれ、マイボーム腺５１が描画されている。
【００３６】
図２に示すように、瞼裏のマイボーム腺５１とその他の皮膚部分とは明るさが異なり、マイボーム腺５１の状態を良く観察しようとする場合、マイボーム腺５１を中心に考えて測光し、露出を決定する必要がある。また、図２（ａ）及び図２（ｂ）に示すように、上瞼マイボーム腺と下瞼マイボーム腺とでは、その大きさが異なり、被検眼Ｅの瞳孔中心を画面中心において撮影しようとする場合、当該画面に対してマイボーム腺５１の位置も異なってくる。
【００３７】
図３は、本発明の第１の実施形態を示し、上瞼マイボーム腺の撮影時と下瞼マイボーム腺の撮影時にそれぞれ設定される測光領域の一例を示す図である。
図３において、図３（ａ）は、上瞼マイボーム腺（５１）の撮影時に設定される測光領域５２を示し、図３（ｂ）は、下瞼マイボーム腺（５１）の撮影時に設定される測光領域５３を示す。
【００３８】
ここで、本実施形態においては、各測光領域５２及び５３は、処理・制御部２１で設定されるものとする。具体的に、処理・制御部２１は、マイボーム腺選択部３１で選択されたマイボーム腺に応じて、被検眼Ｅを撮影する際の測光領域を設定する。より詳細に、処理・制御部２１は、マイボーム腺選択部３１で上瞼マイボーム腺が選択された場合に、図３（ａ）に示す測光領域５２を設定する。また、処理・制御部２１は、マイボーム腺選択部３１で下瞼マイボーム腺が選択された場合に、図３（ｂ）に示す測光領域５３を設定する。
【００３９】
この際、図３に示すように、処理・制御部２１は、上瞼マイボーム腺が選択された際に設定する測光領域５２を、下瞼マイボーム腺が選択された際に設定する測光領域５３よりも広い領域（大きい領域）として設定する。これは、図３（ａ）及び図３（ｂ）に示すように、上瞼マイボーム腺の方が、下瞼マイボーム腺よりも大きく且つ広範囲であるためである。
【００４０】
また、処理・制御部２１は、被検眼Ｅの瞳孔中心に対して、測光領域５２を画面上側の位置に設定し、測光領域５３を画面下側の位置に設定する。即ち、処理・制御部２１は、下瞼マイボーム腺が選択された際に設定する測光領域５３を、上瞼マイボーム腺が選択された際に設定する測光領域５２よりも下側の位置に設定する。
【００４１】
なお、図３に示す例では、測光領域５２及び５３の形状を簡単のために円で示しているが、本実施形態においてはこれに限定されるものではなく、例えば、矩形や楕円等の任意の形状であっても適用可能である。
【００４２】
また、処理・制御部２１は、図３（ａ）に示すように、上瞼マイボーム腺が選択された際に設定する測光領域５２を、モニタ２３に表示されている被検眼Ｅの観察画像上に表示する制御を行う。また、処理・制御部２１は、図３（ｂ）に示すように、下瞼マイボーム腺が選択された際に設定する測光領域５３を、モニタ２３に表示されている被検眼Ｅの観察画像上に表示する制御を行う。この表示制御を行う処理・制御部２１は、表示制御手段を構成する。
【００４３】
次に、本実施形態に係る眼科撮影装置１００の動作の概要について説明する。
例えば、撮影モード選択部２９でマイボーム腺撮影モードが選択されると、フォーカスレンズ３が、フォーカスレンズ駆動部により＋ディオプター端（３−１の位置）に移動する。この状態で、作動距離をＷＤ１とすることで、被検眼Ｅの外眼部Ｅｆと撮像素子５とが略共役な関係となる。
【００４４】
そして、赤外ＬＥＤ光源１７から出力した赤外光は、コンデンサレンズ１６により集光され、ダイクロイックミラー１３を透過した後、リングスリット１２、水晶体バッフル１１によってリング状に光束が制限される。リング状光束に制限された赤外光は、レンズ１０、レンズ８及び角膜バッフル７を介して、一度穴あきミラー６上にリングスリット１２の像を作り、かつ、穴あきミラー６により光軸Ｌ１方向に反射される。そして、対物レンズ１によって被検眼Ｅの外眼部Ｅｆを照明する。この際、検者または医療助手の介助により瞼をめくられた被検眼Ｅのマイボーム腺が照明される。
【００４５】
定常光を発する赤外ＬＥＤ光源１７からの赤外光により照明された被検眼Ｅの外眼部Ｅｆからの戻り光（反射散乱した光束）は、対物レンズ１、撮影絞り２、フォーカスレンズ３、結像レンズ４を介して、撮像素子５に達して撮像される。そして、Ａ／Ｄ変換部１８によりデジタル信号化された後、撮像手段制御部２４及び処理・制御部２１を介して、モニタ２３に外眼部Ｅｆに係る観察画像が表示される。そして、検者等は、モニタ２３に表示された外眼部Ｅｆに係る観察画像を観察しながら、不図示の操作桿を使い、被検眼Ｅの外眼部（前眼部）Ｅｆと眼科撮影装置１００との位置合せを行う。さらに、検者等は、被検眼Ｅの外眼部Ｅｆに係る観察画像を観察し、不図示のフォーカスノブを操作することによって合焦するように調整をする。
【００４６】
次に、本実施形態に係る眼科撮影装置１００の制御方法における処理手順について説明する。
【００４７】
図４は、本発明の第１の実施形態に係る眼科撮影装置１００の制御方法における処理手順の一例を示すフローチャートである。この図４のフローチャートの処理を開始するのにあたり、既に、撮影モード選択部２９において、被検眼Ｅのマイボーム腺を撮影するマイボーム腺撮影モードが選択されているものとする。
【００４８】
まず、ステップＳ１０１において、処理・制御部２１は、マイボーム腺選択部３１で上瞼マイボーム腺が選択されているか否かを判断する。
【００４９】
ステップＳ１０１の判断の結果、上瞼マイボーム腺が選択されている場合には（Ｓ１０１／Ｙｅｓ）、ステップＳ１０２に進む。
ステップＳ１０２に進むと、処理・制御部２１は、被検眼Ｅの上瞼マイボーム腺を赤外光を用いて撮影する際の測光領域として、図３（ａ）に示す測光領域５２を設定する。
【００５０】
一方、ステップＳ１０１の判断の結果、上瞼マイボーム腺が選択されていない場合には（Ｓ１０１／Ｎｏ）、ステップＳ１０３に進む。このステップＳ１０３に進む場合は、マイボーム腺選択部３１で下瞼マイボーム腺が選択されている場合である。
ステップＳ１０３に進むと、処理・制御部２１は、被検眼Ｅの下瞼マイボーム腺を赤外光を用いて撮影する際の測光領域として、図３（ｂ）に示す測光領域５３を設定する。
【００５１】
ステップＳ１０２の処理が終了した場合、或いは、ステップＳ１０３の処理が終了した場合には、ステップＳ１０４に進む。
ステップＳ１０４に進むと、処理・制御部２１は、モニタ２３に表示されている被検眼Ｅの観察画像上に、ステップＳ１０２またはＳ１０３で設定した測光領域をオーバーラップして表示する表示制御を行う。このようにすることで、検者がどの被検眼Ｅの領域で測光が行われているのかを把握することができ、マイボーム腺と測光領域とがずれている場合には、アライメントを行って調整することが可能となる。
【００５２】
続いて、ステップＳ１０５において、処理・制御部２１は、ステップＳ１０２またはＳ１０３で設定した測光領域に従って、測光を行う制御を行う。この際、例えば、測光値算出部２０は、処理・制御部２１の制御に基づいて、ステップＳ１０２またはＳ１０３で設定した測光領域から、撮影光（ここでは、赤外光）に係る測光値を算出する。
【００５３】
続いて、ステップＳ１０６において、処理・制御部２１は、撮影スイッチ３０がオンとなったか否かを判断する。この判断の結果、撮影スイッチ３０がオンとなっていない場合には（Ｓ１０６／Ｎｏ）、ステップＳ１０５に戻る。
【００５４】
一方、ステップＳ１０６の判断の結果、撮影スイッチ３０がオンとなった場合には（Ｓ１０６／Ｙｅｓ）、ステップＳ１０７に進む。
ステップＳ１０７に進むと、処理・制御部２１は、ステップＳ１０５の測光の結果に基づいて、露光量が調整された赤外光によるマイボーム腺撮影を行う制御をする。
【００５５】
ステップＳ１０７の処理が終了すると、図４に示すフローチャートの処理を終了する。
【００５６】
上述したように、本実施形態に係る眼科撮影装置１００では、マイボーム腺選択部３１で選択されたマイボーム腺に応じて被検眼Ｅを撮影する際の測光領域を設定するようにしている。
かかる構成によれば、選択されたマイボーム腺に最適な測光領域を設定することができるため、適正露光による測光精度の高いマイボーム腺撮影が可能となる。即ち、被検眼のマイボーム腺を適正に撮影することが可能となる。
【００５７】
上述した例では、マイボーム腺選択部３１は、検者による選択指示に基づいて上下どちらのマイボーム腺を選択するのかを決定することを想定したものであった。しかしながら、本実施形態においては、これに限定されるものではなく、マイボーム腺選択部３１によって、例えば観察画像から上下どちらのマイボーム腺を選択するのかを自動的に決定するような態様も適用可能である。この態様の場合、例えば、皮膚部と瞼裏面との赤外反射率の違いを利用して、閾値を設定することで瞼裏面部を高輝度部として判定し、その面積や形状によって上下どちらのマイボーム腺が撮影されようとしているかを判定することは可能である。また、被検眼Ｅの瞳孔Ｅｐと瞼裏面との位置関係から上下どちらのマイボーム腺が撮影されようとしているか判定することも可能である。なお、観察画像から上下のどちらのマイボーム腺を撮影しようとするかの自動判定には、他にも公知の画像処理を応用した種々の手法を採ることができる。
【００５８】
（第２の実施形態）
次に、本発明の第２の実施形態について説明する。
【００５９】
第１の実施形態では、主として、被検眼Ｅの外眼部（前眼部）Ｅｆを赤外光で撮影するマイボーム腺撮影モードによる撮影を行う眼科撮影装置１００について説明した。しかしながら、被検眼Ｅの外眼部Ｅｆを可視光で撮影する需要もある。この可視光での撮影においては、被検眼Ｅの虹彩や白目部分、被検眼Ｅの周辺の皮膚部分等の様子を見ることを目的として行われる。この可視光外眼部撮影では、マイボーム腺撮影を目的としないので、第１の実施形態で説明したマイボーム腺用測光を行う必要はない。この可視光外眼部撮影は、被写体が様々であるので、被写体ごとに自動露出を行うことは難しい。自動露出を行うならば、画面全体の平均測光を行い、検者が必要に応じて露出補正を行う方法が望ましい。第２の実施形態では、この可視光外眼部撮影を行う場合について説明を行う。
【００６０】
第２の実施形態に係る眼科撮影装置の概略構成は、図１に示す第１の実施形態に係る眼科撮影装置１００の概略構成と同様である。
【００６１】
以下に、第２の実施形態に係る眼科撮影装置１００の制御方法における処理手順について説明する。
【００６２】
図５は、本発明の第２の実施形態に係る眼科撮影装置１００の制御方法における処理手順の一例を示すフローチャートである。
【００６３】
まずステップＳ２０１において、処理・制御部２１は、撮影モード選択部２９でマイボーム腺撮影モードが選択されているか否かを判断する。この判断の結果、マイボーム腺撮影モードが選択されている場合には（Ｓ２０１／Ｙｅｓ）、図４に示すフローチャートの処理が行われる。
【００６４】
一方、ステップＳ２０１の判断の結果、マイボーム腺撮影モードが選択されていない場合には（Ｓ２０１／Ｎｏ）、ステップＳ２０２に進む。
ステップＳ２０２に進むと、処理・制御部２１は、撮影モード選択部２９で可視光外眼部撮影モードが選択されているか否かを判断する。この判断の結果、可視光外眼部撮影モードが選択されていない場合には（Ｓ２０２／Ｎｏ）、撮影モード選択部２９で眼底撮影モードが選択されていることになるため、当該眼底撮影モードに基づく撮影を行う。ここでは、眼底撮影モードに基づく撮影は公知の撮影であるため、その説明は省略する。
【００６５】
一方、ステップＳ２０２の判断の結果、可視光外眼部撮影モードが選択されている場合には（Ｓ２０２／Ｙｅｓ）、ステップＳ２０３に進む。
ステップＳ２０３に進むと、処理・制御部２１は、可視光外眼部撮影に係る被検眼Ｅの測光領域として、モニタ２３の画面全体領域を設定する。そして、処理・制御部２１は、当該画面全体領域の輝度を平均して測光する平均測光を選択する。
【００６６】
即ち、処理・制御部２１は、撮影モード選択部２９で可視光外眼部撮影モードが選択された場合に、第１の実施形態における、マイボーム腺選択部３１によるマイボーム腺の選択及び図３に示す測光領域５２または測光領域５３の設定を行わないように当該眼科撮影装置１００の動作を制御する。この動作制御を行う処理・制御部２１は、動作制御手段を構成する。
【００６７】
続いて、ステップＳ２０４において、処理・制御部２１は、ステップＳ２０３で設定した測光領域等に従って、測光を行う制御を行う。
【００６８】
続いて、ステップＳ２０５において、処理・制御部２１は、撮影スイッチ３０がオンとなったか否かを判断する。この判断の結果、撮影スイッチ３０がオンとなっていない場合には（Ｓ２０５／Ｎｏ）、ステップＳ２０４に戻る。
【００６９】
一方、ステップＳ２０５の判断の結果、撮影スイッチ３０がオンとなった場合には（Ｓ２０５／Ｙｅｓ）、ステップＳ２０６に進む。
ステップＳ２０６に進むと、処理・制御部２１は、ステップＳ２０４の測光の結果に基づいて、露光量が調整された可視光（白色ＬＥＤ光源１５からの可視光）による外眼部撮影を行う制御をする。
【００７０】
ステップＳ２０６の処理が終了すると、図５に示すフローチャートの処理を終了する。
【００７１】
第２の実施形態によれば、赤外光によるマイボーム腺撮影と可視光外眼部撮影の際に、それぞれ、最適な自動露出動作を行うことが可能となる。
【００７２】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００７３】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００７４】
５１  マイボーム腺、５２，５３  測光領域
【図１】
2017012663.tif 000003
【図３】
2017012663.tif 000004
【図４】
2017012663.tif 000005
【図５】
2017012663.tif 000006
【図２】
2017012663.tif 000007